(57)【要約】  １つ以上の屋内空間を含み、屋外空間を含まない又は１つ以上の屋外空間を含む環境において等価メラノピックルクス（ＥＭＬ）への占有者の曝露を決定する方法である。当該方法は、１つ以上の情報源からの光レベル情報にアクセスし、これに基づいて、環境のどこに少なくとも所定のＥＭＬレベルが存在するかを決定するステップと、環境内で占有者を追跡するために追跡システムを使用するステップと、このアクセス及び追跡に基づいて、占有者が少なくとも最小のＥＭＬクォータに曝されているかどうかを監視するステップであって、最小のＥＭＬクォータは、占有者が少なくとも所定の時間制約について少なくとも所定のＥＭＬレベルに曝されることを含む、ステップとを含む。
2021504927.tif 000002
【特許請求の範囲】
【請求項１】
１つ以上の照明デバイスを含む環境において等価メラノピックルクス（ＥＭＬ）への占有者の曝露を決定する方法であって、当該方法は、
１つ以上の情報源からの光レベル情報にアクセスし、これに基づいて、前記環境のどこに少なくとも所定のＥＭＬレベルが存在するかを決定するステップと、
前記環境内で占有者を追跡するために追跡システムを使用するステップと、
前記アクセス及び前記追跡に基づいて、前記占有者が少なくとも最小のＥＭＬクォータに曝されているかどうかを監視するステップであって、前記最小のＥＭＬクォータは、前記占有者が少なくとも所定の時間制約について少なくとも前記所定のＥＭＬレベルに曝されることを含む、ステップと、
を含み、
前記照明デバイスは、人工照明で前記環境を照らす１つ以上の照明器具を含み、前記光レベル情報は、少なくとも前記人工照明に関する情報を含み、前記決定は、人工照明に関する前記情報に少なくとも部分的に基づく、方法。
【請求項２】
前記１つ以上の情報源は、データベースを含み、前記光レベル情報は、前記環境におけるＥＭＬを示す光レベル値をマッピングする前記データベースからのデータを含み、前記決定は、前記光レベル値に少なくとも部分的に基づく、請求項１に記載の方法。
【請求項３】
前記環境は、１つ以上の屋外空間を含み、及び／又は、前記環境は、１つ以上の屋内空間を含み、前記照明デバイスは、１つ以上のウインドウトリートメントを含み、前記光レベル情報は、自然光に関する動的情報を含み、前記決定は、自然光に関する前記情報に少なくとも部分的に基づく、請求項１又は２に記載の方法。
【請求項４】
前記１つ以上の情報源は、現在の昼光状態に関するレポートを提供する通信ネットワークを含み、前記決定は、前記レポートに少なくとも部分的に基づく、請求項３に記載の方法。
【請求項５】
前記１つ以上の情報源は、光センサのネットワークを含み、各センサは、前記環境内の異なるそれぞれの水平位置で光レベル情報を測定するように構成され、前記決定は、測定された前記光レベル情報に基づく、請求項１乃至４のいずれか一項に記載の方法。
【請求項６】
前記アクセス及び前記追跡と組み合わせてタイマを使用して、前記占有者が所定のＥＭＬクォータに曝されることになるかどうかを予測し、そう予測されない場合、
前記占有者が占有している又は後で占有すると予測される前記環境の少なくとも１つの領域においてＥＭＬレベルを増加させるために照明を自動的に制御する、及び／又は
前記占有者が前記追跡に基づいて現在存在しないと決定される前記環境の少なくとも１つの領域において前記所定のＥＭＬレベルを満たさないように、又は前記占有者が前記最小のＥＭＬクォータに既に曝されている若しくは前記占有者が前記最小のＥＭＬクォータより多く曝されることになると予測された後、少なくとも一部の照明の強度及び／又は色温度を自動的に低下させる、又は少なくとも一部の照明をオフにする、
ことを行うことを含む、請求項１乃至５のいずれか一項に記載の方法。
【請求項７】
前記アクセス及び前記追跡に基づいて、ユーザインターフェースを介して前記占有者又は他のユーザに、
前記占有者は前記最小のＥＭＬクォータに既に曝されているかどうか、
前記占有者は前記最小のＥＭＬクォータに曝されることになると予測されるかどうか、及び／又は
前記占有者の現在のＥＭＬ曝露の継続的指標、
を自動的に通知することを含む、請求項１乃至６のいずれか一項に記載の方法。
【請求項８】
前記所定のＥＭＬレベルは、床から少なくとも１つの所定の高さにおけるＥＭＬである、請求項１乃至７のいずれか一項に記載の方法。
【請求項９】
前記所定の高さは、
１．２ｍ〜１．７ｍの間、
１．２ｍ、又は
１．５ｍ
のうちの一つである、請求項８に記載の方法。
【請求項１０】
前記所定のＥＭＬレベルは、１２５ＥＭＬ以上である、請求項１乃至９のいずれか一項に記載の方法。
【請求項１１】
前記所定の時間制約は、前記占有者が、１日、勤務日、１日のうちの日中の時間、又は午前９時から午後１時までの午前のうちの所定の時間ウインドウ内の最小期間前記所定のＥＭＬレベルに曝されるという要件を少なくとも含み、前記時間制約は、毎日リセットされる、請求項１乃至１０のいずれか一項に記載の方法。
【請求項１２】
前記所定の時間制約は、前記占有者が、午前９時から午後１時までの間の少なくとも３時間少なくとも前記所定のＥＭＬレベルに曝されることである、又は
前記所定の時間制約は、前記占有者が、少なくとも日中の４時間であって、その少なくとも２時間は午前８時から午前１１時までの間少なくとも前記最小のＥＭＬレベルに曝されることである、請求項１乃至１１のいずれか一項に記載の方法。
【請求項１３】
１つ以上の照明デバイスを含む環境において等価メラノピックルクス（ＥＭＬ）への占有者の曝露を決定するための制御装置であって、当該制御装置は、
前記環境についての光レベル情報にアクセスするための１つ以上の情報源に当該制御装置を動作可能に結合するための手段であって、前記光レベル情報は、前記環境内の少なくとも人工照明に関する情報を含む、手段と、
前記環境内で占有者の位置を追跡するための追跡システムに当該制御装置を動作可能に結合するための手段と、
を備え、
当該制御装置は、アクセスされた前記光レベル情報及び追跡された前記位置に基づいて、前記占有者が少なくとも最小のＥＭＬクォータに曝されているかどうかを監視するように構成され、前記最小のＥＭＬクォータは、前記占有者が少なくとも所定の時間制約について少なくとも所定のＥＭＬレベルに曝されると定義される、制御装置。
【請求項１４】
環境において等価メラノピックルクス（ＥＭＬ）への占有者の曝露を決定するためのシステムであって、当該システムは、
前記環境を照らすための１つ以上の照明デバイスと、
前記環境についての光レベル情報にアクセスするための１つ以上の情報源と、
前記環境内で占有者の位置を追跡するための追跡システムと、
請求項１３に記載の制御装置であって、アクセスされた前記光レベル情報及び追跡された前記位置と組み合わせてタイマを使用して、前記占有者が所定のＥＭＬクォータに曝されることになるかどうかを予測し、そう予測されない場合、
前記占有者が占有している又は後で占有すると予測される前記環境の少なくとも１つの領域においてＥＭＬレベルを増加させるために照明を自動的に制御する、及び／又は
前記占有者が前記追跡に基づいて現在存在しないと決定される前記環境の少なくとも１つの領域において前記所定のＥＭＬレベルを満たさないように、又は前記占有者が前記最小のＥＭＬクォータに既に曝されている若しくは前記占有者が前記最小のＥＭＬクォータより多く曝されることになると予測された後、少なくとも一部の照明の強度及び／又は色温度を自動的に低下させる、又は少なくとも一部の照明をオフにする、
ことを行うように構成される、制御装置と、
を含む、システム。
【請求項１５】
前記１つ以上の情報源は、前記環境におけるＥＭＬを示す光レベル値をマッピングする光レベル情報を含むデータベース、及び／又は各センサが前記環境内の異なるそれぞれの水平位置で光レベル情報を測定するように構成される、光センサのネットワークを含む、請求項１４に記載のシステム。
【発明の詳細な説明】
【技術分野】
【０００１】
本開示は、環境の占有者がある時間にわたってあるクォータの等価メラノピックルクス(certain quota of equivalent melanopic lux)を受けることを確保することに関する。例えば、これは、ＷＥＬＬ（サーカディアン照明）Ｂｕｉｌｄｉｎｇ  Ｓｔａｎｄａｒｄの仕様の遵守を確保することであり得る。
【背景技術】
【０００２】
国際特許出願公開第２０１７／０４２６８２  Ａ１号は、個人が見た太陽放射を計算するためのシステムであって、太陽に直接又は間接的に曝される一日の間に個人の位置を特定及び追跡するためのポータブルロケーション手段と、前記個人のトレースされた位置における太陽放射に関する衛星データｄ２を含むデータ収集手段と、前記ロケーション手段及び前記データ収集手段に動作可能に接続される計算手段であって、前記個人が見た太陽放射線量Ｒ１を計算するために、及び、前記個人の望ましいパーソナルサーカディアンリズムに対応する期待線量Ｒ２に対して欠いている又は超過している太陽放射線量Ｒ３を計算するために、前記個人の位置に関するデータｄ１及び前記個人がいる位置と同じ位置における地面上の太陽放射に関するデータｄ２を受けるための計算手段とを備える、システムを開示している。
【０００３】
新しい照明の推奨が、ＷＥＬＬ  Ｂｕｉｌｄｉｎｇ  Ｓｔａｎｄａｒｄ (http://standard.wellcertified.com/light/circadian-lighting-design)で公開されている。これは、ワークプレイス（例えば、オフィスのワークステーション等）等のさまざまなシナリオに対する、等価メラノピックルクス(EML： equivalent melanopic lux)と呼ばれる、推奨されるメラノピック昼光（Ｄ６５）等価を定義する。EMLは、占有者の典型的な目の高さに対応する床仕上げ面から所定の高さ上の垂直面で測定される。EMLはまた、光度(luminous intensity)及び色温度を考慮に入れる。ＷＥＬＬ  ｂｕｉｌｄｉｎｇ  ｓｔａｎｄａｒｄは、ＥＭＬレベルが、遵守を確保するために性能検証（コミッショニング段階）中に測定されるべきであることを指定している。
【０００４】
光束(Luminous flux)は、知覚される光のパワーの指標(measure)である。これは、光のさまざまな波長に対する人間の目の反応を表す、光度関数(luminosity function)に従って単位周波数ごとに重み付けされた可視スペクトル内の電磁放射束に等しい。ＳＩ単位はルーメン(Lumen)(lm)である。ルクス(Lux)(Lx)は、単位面積あたりの光束のＳＩ単位（照度(illuminance)）である。この量は、記号Ｅによって参照され得る。略記として、（ＳＩ単位ではなく）量Ｅ自体が、「ルクス」（厳密には照度）として参照される場合がある。EMLは、垂直面又は垂直円筒面におけるルクスＥｖと、ＷＥＬＬ  Ｂｕｉｌｄｉｎｇ  Ｓｔａｎｄａｒｄにおいてメラノピック比率Rと呼ばれる、無次元比率メラノピック等価係数(MEF: melanopic equivalence factor)とを積算したものとして定義される。MEFは、ルクス成分(lux component)の相関色温度(CCT: correlated colour temperature)の関数である。これは、人間のサーカディアンリズムに対する光の影響を測定するために使用される測定基準(metric)である。
【０００５】
https://www.wellcertified.com/sites/default/files/resources/WELL%20Building%20Standard%20-%20Oct%202014.pdfにおいてダウンロード可能なＷＥＬＬ  Ｂｕｉｌｄｉｎｇ  Ｓｔａｎｄａｒｄ（登録商標）、２０１４年１０月２０日のバージョン１．０は、１８９〜１９１頁で以下のことを開示している。
【０００６】
表Ｌ１：メラノピック比率(MELANOPIC RATIO)
この単位、等価メラノピックルクス（EML）は、Lucas氏をはじめとする人々によって提唱された（Lucas ほか、「Measuring and using light in the melanopsin age（メラノプシン時代における光の測定と使用）」、『Trends in Neuroscience』誌、2014年1月）。この著者陣は、所望のスペクトルに対して、眼の５つの光受容体（３つの錐体、桿体、及びipRGC）それぞれに対して等価の「α-opic」ルクスを導き出すツールボックスを提供した。この著者陣は、各値が相互に同一になるようなスケーリング定数と、完全に均一なエネルギの光スペクトルに対するルクスの標準定義（CIE Standard Illuminant E）を選択した。
【０００７】
光のスペクトルを与えると、各等価α-opicルクスが定数によって相互に関連する。以下の表は、等価メラノピックルクスと標準の視覚的なルクスの比率例を複数の光源について示している。
【０００８】
等価メラノピックルクス（ＥＭＬ）を算出するには、建物に対して設計された、又は建物で実際に測定された視覚的なルクス（Ｌ）とこの比率（Ｒ）を積算する。すなわち、ＥＭＬ＝Ｌ×Ｒとなる。例えば、ある空間で白熱光が２００ルクスの場合、これはまた、１０８等価メラノピックルクスを生み出すことになる。同一の視覚的な明度（２００ルクス）を生み出す昼光をモデルとした場合は、これはまた、２２０等価メラノピックルクスを生み出すことになる。
【０００９】
同様のメラノピックルクス比率は、所望の光源のスペクトルを表Ｌ２の計算に当てはめることにより決定されることができる。プロジェクトではこのアプローチを使用して、より正確な結果を得ることが推奨される。上記のジャーナル論文の著者とＩＷＢＩの両方が、この計算を支援するスプレッドシートを有している。
【００１０】
(表１)
2021504927.tif 000003
【００１１】
表Ｌ２：メラノピック反応と視覚反応(Melanopic and Visual Response)
光のメラノピック比率を計算するには、まずランプの光出力を５ｎｍ刻みで取得する。これは製造元から取得するか、分光計を用いて取得する。次いで、この出力を以下の表で示されているメラノピック曲線及び視覚曲線で積算し、メラノピック反応と視覚反応を導き出す。最後に、メラノピック反応の合計を視覚反応の合計で除算する。
【００１２】
（表２）
2021504927.tif 000004
2021504927.tif 000005
2021504927.tif 000006
【００１３】
ＥＭＬは、ルクス及び色温度を示す他の強度及びスペクトル情報に基づいて同等に定義されてもよいことに留意されたい。例えば、可視スペクトルの強度の指標としてフートキャンドル（すなわち、照度）を使用して、ＭＥＦと同等の係数が定義されることができる。これは、フートキャンドルで測定された照度に対して、上記の式がルクスで測定された同様の照度に対してなされるのと同様のＥＭＬ値を与える。
【００１４】
斯くして、ＥＭＬは、定義された垂直面又は垂直表面における単位面積あたりの調整されたルクスの指標である。今日の標準では垂直面で測定されるが、これが変更又はこれに追加されて、円筒状の方法で測定されることもできる。ＷＥＬＬ規格はまた、このようなＥＭＬレベルは、床仕上げ面から特定の高さ上で満たされるべきであることを規定している。これは、図１ａ及び図１ｂに概略的に示されている。図１ａは、部屋等の空間の領域を通る垂直面ＶＰと、床から高さｈ上の平面ＶＰにおける基本エリア(elementary area)ｄＡに投影された該空間におけるルクスの水平成分Ｅｖとを示している。ＥＭＬは、ｄＡに落ちるルクスＥ（単位面積あたりの光束）にＭＥＦ（ＣＣＴ）を乗算したものとして定義される。ここで、ＣＣＴは、ルクス成分Ｅの色温度である。図１ｂは、垂直円筒表面ＶＣ上の高さｈにおける基本エリアｄＡに投影されたルクスＥｖの水平成分に基づく、ＥＭＦの代替的な測定を示している。成分が測定される円筒表面は、完全な円筒である必要はないことに留意されたい。例えば、ＥＭＦは、半円筒表面にわたって平均化されてもよく、又は特定のポイントにおける円筒表面上の基本エリアｄＡで測定されてもよい。
【００１５】
作業エリアについて、ＷＥＬＬ規格は、少なくとも以下のいずれか１つの要件が満たされることを規定している。（ａ）７５％以上のワークステーションについて、床仕上げ面から１．２ｍ上の前向きの垂直面で測定して、少なくとも２００ＥＭＬが存在する。この光レベルは、昼光を組み込んでもよく、年間を通して毎日、少なくとも午前９時と午後１時との間の時間に存在する。（Ｂ）すべてのワークステーションについて、電気ライト(electric light)（作業照明(task lighting)を含む場合あり）が、１５０ＥＭＬ以上の前向きの垂直面で維持された照度を提供する。
【００１６】
休憩室：従業員が（レストランの接客係又は病棟の労働者等）作業タイプによって制限された光レベルを有する空間においてほとんどの時間を過ごす作業エリアについて、ＷＥＬＬ規格は、そのような作業エリアは以下の要件を満たす休憩室を有することを規定している。ライトは、床仕上げ面から１．２ｍ上の前向きの垂直面で測定して少なくとも２５０ＥＭＬの持続的な平均をもたらす。ライトは、昼光の存在下では調光されてもよいが、これらのレベルを個別に達成することができる。
【００１７】
居住環境（例えば、ベッドルーム、バスルーム、窓のある部屋）では、ＷＥＬＬ規格は、以下を規定している。（ａ）床仕上げ面から１．２ｍ上の部屋の中央の壁に面して測定して２００以上のＥＭＬ。ライトは、昼光の存在下では調光されてもよいが、これらのレベルを個別に達成することができる。（ｂ）ライトは、床仕上げ面から０．７６ｍ上で測定して（コードで許容される程度において）５０を超えないＥＭＬを提供する。
【００１８】
学習エリアでは、ＷＥＬＬ規格は、少なくとも以下のいずれか１つの要件が満たされることを規定している。（ａ）早期教育、小学校、中学校及び高校、並びに主に２５歳未満の生徒に対する成人教育：ライト（昼光を組み込む場合あり）は、床仕上げ面から１．２ｍ上の前向きの垂直面で、７５％以上の机で少なくとも１２５ＥＭＬを提供しなければならない。この光レベルは、年間を通して毎日、少なくとも４時間存在する。（ｂ）アンビエントライトは、学校がサービスを提供する集団に最も適切な年齢グループカテゴリに続く、ＩＥＳ−ＡＮＳＩ  ＲＰ−３−１３の表３の垂直（Ｅｖ）標的の推奨ルクス以上のＥＭＬの垂直面での持続的な照度をもたらす。例えば、小学校、中学校又は高校の美術室(art studio)は、電気ライトから１５０ＥＭＬが提供される。
【００１９】
ＷＥＬＬ規格とは別に、人間の光への曝露(exposure)を監視する１つの既知の技術は、首の周りのペンダントにウェアラブル光センサデバイスを装着することである。
【発明の概要】
【発明が解決しようとする課題】
【００２０】
今日のフレキシブルなオフィスでは、人々は、日中多くのさまざまな場所で及びさまざまな設定で働くことがよくある。例えば、ワークプレイスは、標準若しくはオープンオフィス、フォーカスルーム、又は小会議室若しくは大会議室があり得る。人々の活動は、勤務時間にわたり複数の空間に散らばる(spread over)ことがよくある。これは、この人（占有者）が特定の時間にわたり、例えば、１日あたり又は１日あたり１つ以上の指定された時間ウインドウ内に少なくとも最小クォータのＥＭＬ(minimum quota of EML)を受けることを確保するための課題を提示する。例えば、ＷＥＬＬ規格で規定されている１つ、複数又はすべてのクォータに準拠することを確保することが望ましくあり得る。又は、一般に、他の代替的又は追加的なクォータが定義されてもよい。
【課題を解決するための手段】
【００２１】
本開示の一つの態様によれば、１つ以上の屋内空間を含み、屋外空間を含まない又は１つ以上の屋外空間を含む環境において等価メラノピックルクス（ＥＭＬ）への占有者の曝露(exposure)を決定する方法が提供される。当該方法は、１つ以上の情報源からの光レベル情報にアクセスし、これに基づいて、前記環境のどこに少なくとも所定のＥＭＬレベルが存在するかを決定するステップと、前記環境内で占有者を追跡するために追跡システムを使用するステップと、前記アクセス及び前記追跡に基づいて、占有者が少なくとも最小のＥＭＬクォータ(minimum EML quota)に曝されているかどうかを監視するステップであって、最小のＥＭＬクォータは、占有者が少なくとも所定の時間制約(time constraint)について少なくとも前記所定のＥＭＬレベルに曝されることを含む、ステップとを含む。
【００２２】
斯くして、本開示は、有利なことに、最小のクォータが受けられたかどうかをチェックするために（例えば、ＷＥＬＬ  Ｂｕｉｌｄｉｎｇ  Ｓｔａｎｄａｒｄによって規定されたクォータが満たされているかどうかをチェックするため）、人が受けるＥＭＬ光を測定するインテリジェント追跡システムを提供する。ＥＭＬはさまざまなロケーションについて（例えば、部屋ごとに）測定され、占有者のロケーションが追跡されるため、当該人が、終日、多くの異なる部屋又は他のそのような空間の間を移動することを伴うフレキシブルな業務体制を享受する場合があるという事実にもかかわらず、当該人が自身のＥＭＬクォータを受けたかどうかを決定することが可能である。
【００２３】
開示された技術はまた、ユーザがデバイスを着用することを忘れる場合があり、また、他の衣服又はユーザ自身の腕によってさえ容易に覆われ得るという不利な点を有する、ウェアラブルセンサの使用を改善する。
【００２４】
ある実施形態において、本開示は、建物内の異なる空間のＥＭＬ較正を提供し、個人が自身の日々のＥＭＬ曝露に達したかどうか及びいつ達したかを監視するために人々追跡システムと組み合わせてこれらの較正されたＥＭＬレベルを使用する。これは、建物及び／又は建物プロジェクトのＷＥＬＬ認証を維持するのに有利であり得る。
【００２５】
ある実施形態では、システムはまた、人がいつ（例えば、散歩のために）屋外に行ったかを追跡し、屋外センサ及び／又は地域の気象情報等の１つ以上のソースに基づいて受ける屋外ＥＭＬを推定してもよい。
【００２６】
環境は、例えば、複数の屋内空間を含んでもよく、例えば、各々が異なる部屋（オフィス、休憩室、廊下等）であってもよい。任意選択的に、追跡の対象となる環境は、１つ以上の屋外空間、例えば、ワークスペース、庭、屋外喫煙者のエリア又はキャンパスの屋外部分等を含んでもよい。１つ以上の情報源は、コミッショニングデータベース、光センサのネットワーク、及び／又は現在の屋外光レベルが（例えば、オンライン天気予報から）取得され得るインターネットの形態等のネットワーク等、多くの異なる形態をとることができる。
【００２７】
どこで所定のＥＭＬレベルが満たされるかという決定は、空間ごとに、例えば、部屋ごとに行われてもよく、又はより小さなエリアに分割されてもよい。例えば、平均ＥＭＬが各部屋又は空間について決定されてもよく、又は各部屋の代表的なロケーション（ワークステーション又は部屋若しくは空間の中央等）でのＥＭＬが決定されてもよい。別の例として、部屋は、追跡システムが部屋のどのエリアで占有者が時間を費やしているかを知ることになるように異なるエリアに分割されてもよい。部屋又はゾーンごとの平均は、全方向平均(omnidirectional average)であってもよく、又は、平均値若しくは代表値は、ＷＥＬＬ規格で定義されている方向等、指定された方向の値であってもよい。どちらのやり方でも、占有者がＥＭＬを受けるかどうかという測定は、ユーザが所与の空間にいる場合に、該ユーザが略々当該空間についての平均又は代表ＥＭＬを受けると仮定することに基づいてもよい。
【００２８】
他の実装形態では、追跡は、ユーザが複数のワークステーションのうちの１つ等の所定のステーションのセットのうちの識別されたステーションに駐留する(stationed)場合に追跡してもよい。情報源は、所定のステーションのセットについてのデータ、例えば、特に可能な各ステーションの事前に保存されたＥＭＬ値又はセンサ読取り(sensor reading)だけを提供してもよい。この場合、占有者の合計ＥＭＬの測定は、各ステーション、例えば、各ワークステーションで費やされた時間と、そのような各ステーションでの既知のＥＭＬとの組み合わせ（ステーション間の時間はほぼ無視できると仮定する）に基づく。
【００２９】
さらなる実施形態では、ステーション又は他の部屋の間の通路を歩くことも監視される合計に寄与するように、「トラフィックゾーン(traffic zone)」が考慮に入れられることができる。
【００３０】
さらに別の代替的な実装形態では、情報源は、より細かいポイントごとにＥＭＬレベル（すなわち、各部屋の座標の複数のセット等、各空間にわたる座標の複数のセットの情報）をマッピングしてもよい。例えば、屋内測位及び／又はその他の新しいテクノロジを使用して、システムは、どこで時間が費やされるかを非常に正確に追従することができる。このような場合、追跡システムは、ユーザのポイントロケーションを追跡し、各それぞれのポイントで占有者が受けるＥＭＬを決定してもよい。一部の実施形態では、情報源からの情報は方向性がなく、測定ステージは、ＥＭＬが所与のポイントですべての方向で略々同じであると仮定する。代替的に、情報は方向性があってもよく、追跡システムはまた、例えば、顔認識を使用して、占有者の移動方向を追跡することによって、又は机若しくはスクリーンの後ろに座っている場合主視線方向は既知であると単に仮定することによってさえ、占有者がどの方向に向いているかを追跡してもよい。このような場合、方向性ＥＭＬが、占有者の合計クォータを決定するために使用されることができる。
【００３１】
ある実施形態では、照明デバイスは、人工照明で１つ以上の空間を照らす１つ以上の照明器具を含んでもよく、光レベル情報は、少なくとも人工照明に関する情報を含み、前記決定は、人工照明に関する前記情報に少なくとも部分的に基づいてもよい。
【００３２】
ある実施形態では、１つ以上の情報源は、データベースを含んでもよく、前記光レベル情報は、前記環境におけるＥＭＬを示す光レベル値をマッピングするデータベースからのデータを含み、前記決定は、データベースにおけるの値に少なくとも部分的に基づいてもよい。
【００３３】
データベースにおける値は、事前に計算又は事前に測定されてもよい。これは、例えば設置フェーズ又はコミッショニングフェーズからの、照明器具の事前に実行された較正に基づいてもよい。データベースに保存されている値は、明示的なＥＭＬ値自体であってもよく、この場合、決定ステップは単に、データベースからＥＭＬ値を直接読み取ることを含んでもよい。代替的に、データベースにおけるの値は、ＥＭＬを間接的に示すスペクトルパワーの別の指標、例えば、色温度又は他のそのようなスペクトル情報を伴う強度、ルクス又は光束、さらにはフルパワースペクトル密度値等であってもよい。これは、決定ステップの一部としてＥＭＬに変換されることができる。データベースは、照明と同じ環境でローカルにあってもよく、又はリモートにあってもよい、例えば、インターネット等のネットワークを介してアクセスされてもよい。
【００３４】
別の例として、チューナブルホワイト(tuneable white)照明器具等の設定可能な色温度又はスペクトルを有する照明器具の場合、チューナブルホワイト照明器具を制御するコントローラは、実際の現在のスペクトル又は色温度設定をデータベースにリアルタイムで通信するように構成されてもよい。調光及びチューナブルなスペクトルの場合、調光レベル及び色設定の両方がリアルタイムでデータベースに通信されてもよい。異なる事前に保存された値又は事前に測定された値が、各可能な設定についてデータベースに保存されてもよく、又はいくつかの異なる事前に保存された値又は事前に測定された値のみが、データベースに保存されてもよく、コントローラは、通信された設定に基づいてそれらの間を補間するように構成されてもよい。別の例として、データベースにおけるの値は、通信された設定に従ってリアルタイムで更新されるようにフレキシブルであってもよい。
【００３５】
代替的又は追加的に、環境は、１つ以上の屋外空間を含んでもよく、及び／又は、環境は、１つ以上の屋内空間を含んでもよく、照明デバイスは、１つ以上のウインドウトリートメント(window treatment)を含んでもよい。そのような場合、光レベル情報は、自然光に関する動的情報を含み、前記決定は、少なくとも部分的に自然光に関する前記情報に基づいてもよい。
【００３６】
ある実施形態では、１つ以上の情報源は、現在の昼光状態に関するレポートを提供する通信ネットワークを含み、前記決定は、前記レポートに少なくとも部分的に基づいてもよい。
【００３７】
例えば、情報源は、オンライン天気予報であってもよい。この場合、アクセスするステップは、ネットワーク（例えば、インターネット）を介して天気予報から、付近の一般的な屋外周囲光状態(general outdoor ambient light condition)に関する情報にアクセスすることを含んでもよい。この場合、決定ステップは、周囲光状態の知識に基づいてＥＭＬ成分を概算することを含む。例えば、レポートは、明示的なＥＭＬ値を与えてもよく、又はコントローラがＥＭＬを導出することができる他の強度及びスペクトルデータを与えてもよい。代替的に、レポートは、「晴れ」又は「曇り」等のインディケーションを代わりに与え得、この場合、コントローラは、（おそらくは当該環境の地理的なロケーションの関数として、及び／又は光強度は年間で異なるため、カレンダーにリンクされる）晴れ又は曇りの日の昼光の強度及びスペクトルの知識に基づいてＥＭＬを決定してもよい。ある実施形態では、計算されたＥＭＬはまた、環境の物理的なレイアウト及び／又は定位(orientation)の関数であってもよい。
【００３８】
さらに他の代替的又は追加的な実施形態では、１つ以上の情報源は、光センサのネットワークを含み、各センサは、所定の高さにおける環境内の異なるそれぞれの水平位置で光レベル情報を測定するように構成されてもよく、前記決定は、測定された前記光レベル情報に基づいてもよい。
【００３９】
ある実施形態では、センサは、環境内の異なるそれぞれの水平位置で、前記所定の高さで垂直面又は表面において光パワースペクトル又は光パワースペクトル分布を含む測定光レベル情報を測定するように各々配置される、スペクトルセンシティブ光センサ(spectrally sensitive light sensor)であって、前記決定は、前記測定光レベル情報に基づいてもよい。
【００４０】
ある実施形態では、追跡システムは、占有者の過去のルーチンの観察に基づいて、占有者が当該期間内に後で（例えば、その日の後で）どこに移動する可能性が高いかを予測することができてもよい。これは、ＥＭＬ要件と省電力又は雰囲気(ambience)等の他の要因とのバランスをとるために照明を適応させる場合に考慮に入れられてもよい。例えば、占有者が、ＷＥＬＬ規格で規定されている午前９時〜午後１時の期間が終了する前に十分なＥＭＬを得るであろうかどうかを予測することが望ましくあり得る。
【００４１】
ある実施形態では、当該方法は、前記アクセス及び前記追跡と組み合わせてタイマを使用して、占有者が所定のＥＭＬクォータに曝されることになるかどうかを予測し、そう予測されない場合、占有者が占有している又は後で占有すると予測される環境の少なくとも１つの領域においてＥＭＬレベルを増加させるために照明を自動的に制御することを含んでもよい。
【００４２】
代替的又は追加的に、当該方法は、占有者が前記追跡に基づいて現在存在しないと決定される環境の少なくとも１つの領域において所定のＥＭＬレベルを満たさないように、又は占有者が最小のＥＭＬクォータに既に曝されている若しくは占有者が最小のＥＭＬクォータより多く曝されることになると予測された後、少なくとも一部の照明の強度及び／又は色温度を自動的に低下させる、又は少なくとも一部の照明をオフにすることを含んでもよい。
【００４３】
占有者が曝されるべき最大のＥＭＬがあるとは考えられていないが、省エネ等のＥＭＬ以外の理由で、１つ以上のスペースにおいて照明をオフにする若しくは減光する、又はその色温度を変更することは依然として望ましくあり得る。例えば、占有者が現在占有していない又はその日の残りの時間は占有しないと予測されるスペースでは、ライトはオフにされてもよい。又は、占有者がその日の自身のＥＭＬクォータをオーバーシュートする可能性が高いと判断されると、電力を節約するために、該占有者が占有している又は占有すると予測される部屋の光レベルは、減光されてもよく、及び／又はより低い（青色が少ない）色温度に設定されてもよい。例えば、これは、午後遅く又は夕刻、及び占有者がその日の自身のＥＭＬクォータを既に有した場合になされてもよい。例えば、午前９時から午後１時の期間のＥＭＬクォータが満たされた後、及び特にその日のうちに遅くなると、より青味の強い光は避けられるべきであり、午後１時以降、青色の光成分は、時間の経過とともに自動的に低下されてもよい。
【００４４】
さらなる実施形態では、当該方法は、前記アクセス及び前記追跡に基づいて、ユーザインターフェースを介して占有者又は他のユーザに、（ｉ）占有者は最小のＥＭＬクォータに既に曝されているかどうか、（ｉｉ）占有者は最小のＥＭＬクォータに曝されることになると予測されるかどうか、及び／又は（ｉｉｉ）占有者の現在のＥＭＬ曝露の継続的指標(running measure)を自動的に通知することを含んでもよい。
【００４５】
ある実施形態では、所定のＥＭＬレベルは、床から少なくとも１つの所定の高さにおけるＥＭＬであってもよい。例えば、所定の高さは、１．２ｍ、１．５ｍ又は１．２ｍ〜１．７ｍの間の高さであってもよい。
【００４６】
ある実施形態では、前記所定のＥＭＬレベルは、１２５ＥＭＬ以上である。ある実施形態では、前記所定のＥＭＬレベルは、１５０ＥＭＬ以上である。ある実施形態では、前記所定のＥＭＬレベルは、２００ＥＭＬ以上である。ある実施形態では、前記所定のＥＭＬレベルは、２５０ＥＭＬ以上である。ある実施形態では、前記所定のＥＭＬレベルは、１２５ＥＭＬ、１５０ＥＭＬ、２００ＥＭＬ又は２５０ＥＭＬのうちの一つに等しい。
【００４７】
ある実施形態では、前記所定の時間制約は、占有者が、１日、勤務日、１日のうちの日中の時間、又は午前９時から午後１時までの午前のうちの所定の時間ウインドウ内の最小期間少なくとも前記所定のＥＭＬレベルに曝されるという要件を少なくとも含み、時間制約は、毎日リセットされてもよい。
【００４８】
ある実施形態では、前記所定の時間制約は、占有者が、午前９時から午後１時までの間の少なくとも３時間少なくとも前記所定のＥＭＬレベルに曝されることであってもよい。
【００４９】
別の例として、ある実施形態では、前記所定の時間制約は、占有者が、少なくとも日中の４時間少なくとも前記所定のＥＭＬレベルに曝され、一日あたりのその少なくとも２時間は午前８時から午前１１時までの間であってもよい。
【００５０】
本開示の他の態様によれば、上記又は本明細書の別の部分で開示される任意の方法によるオペレーションを実行するように構成される制御装置が提供される。制御装置は、専用のハードウェアロジック、若しくは開示された方法を実行するようにプログラムされた処理装置及びメモリ、又は２つのアプローチの任意の組み合わせの形態で実装されてもよい。
【００５１】
本開示の別の態様によれば、１つ以上の処理ユニットを備える処理装置上で実行された場合、上記又は本明細書の別の部分で開示される任意の方法によるオペレーションを実行するように構成される、１つ以上のメモリユニットを備えるコンピュータ可読ストレージに具現化されるコンピュータプログラムプロダクトが提供される。
【００５２】
本開示の別の態様によれば、１つ以上の屋内空間を含み、屋外空間を含まない又は１つ以上の屋外空間を含む環境において等価メラノピックルクス（ＥＭＬ）への占有者の曝露を決定するためのシステムであって、当該システムは、前記環境のどこに少なくとも所定のＥＭＬレベルが存在するかを示す１つ以上の光レベル情報のソースと、前記環境内で占有者を追跡するための追跡システムと、１つ以上のソースにアクセスし、これに基づいて、前記環境のどこに少なくとも所定のＥＭＬレベルが存在するかを決定するように構成されるコントローラとを備え、コントローラはさらに、前記環境内で占有者を追跡するために追跡システムを使用し、前記アクセス及び前記追跡に基づいて、占有者が少なくとも最小のＥＭＬクォータに曝されているかどうかを測るように構成され、最小のＥＭＬクォータは、占有者が少なくとも所定の時間制約について少なくとも前記所定のＥＭＬレベルに曝されることを含む、システムが提供される。
【００５３】
本開示の別の態様によれば、照明システムと共に使用するためのＥＭＬセンサであって、当該ＥＭＬセンサは、１人以上の占有者によって占有する、及び照明システムのコミッショニング後の動作ステージ中に照明システムの１つ以上の照明器具によって照らされる空間に設置するための光センサであって、空間の床から所定の高さにおける光のスペクトルパワーを示す光レベル情報を測定するように構成される、光センサと、前記動作ステージ中に、前記所定の高さでの光のＥＭＬレベルを自動的に計算するように構成されるセンシングロジック(sensing logic)とを備える、ＥＭＬセンサが提供される。ロジックは、ソフトウェア、ハードウェア、又はそれらの任意の組み合わせで実装されてもよい。
【図面の簡単な説明】
【００５４】
本開示の理解を支援するために、及び、どのようにして実施形態が実施され得るかを示すために、例としてのみ、添付の図面が参照される。
【図１ａ】図１ａは、垂直面上のＥＭＬを概略的に示す。
【図１ｂ】図１ｂは、円筒面上のＥＭＬを概略的に示す。
【図２】図２は、照らされる環境の概略平面図である。
【図３】図３は、制御システムの概略ブロック図である。
【発明を実施するための形態】
【００５５】
以下、建物等の環境におけるエリアごとのＥＭＬレベルのデータベース等の情報ソースの使用について述べる。ＥＭＬレベルは、特定のエリアについてのＥＭＬを示すために（典型的な着座した目の高さに対応する）１．２ｍ及び／又は（典型的な立ち上がった目の高さに対応する）１．５ｍ等の所定の高さでの照度Ｅｖが色温度と組み合わされる円筒照明又は平面照明に基づいて測定されることができる。円筒照明に基づく場合、円筒の中心は、特定のエリアにおけるユーザの位置を表してもよく、円筒面は、当該位置にいるユーザが見得る３６０度の視線方向を表す。典型的なオフィスワークプレイスでは、オフィスワークプレイスにいる人の可能な視線方向をカバーし、その場所の平均ＥＭＬを決定するには、１８０°の円筒面のみを考慮するだけで十分である。代替的に又は追加的に、ＥＭＬレベルは、特定のエリアにおける特定の高さでの垂直円筒照明レベル又は垂直平面照明レベルを見い出すためにＤＩＡＬｕｘ（ｈｔｔｐｓ：／／ｗｗｗ．ｄｉａｌ．ｄｅ／ｅｎ／ｄｉａｌｕｘ／）等の特別なソフトウェアを用いて計算されることができる。このデータベースを追跡システムとリンクすることにより、人を追従し、特定の空間で費やされた時間及び当該空間で受けたＥＭＬ曝露を計算することができる。これにより、受けたＥＭＬレベルの累積が得られ、１日等の期間の総線量が経時的に得られる。追跡システムは、例えば、各空間においてパーソナルＲＦＩＤタグ及びＲＦＩＤスキャナを使用するＲＦＩＤアクセスに基づいてもよい。代替的に、屋内測位に基づく追跡システムが使用されてもよい。さらに、センサ、又はインターネット等のネットワークを介してアクセスされるオンライン天気予報又は光レベルレポート等の動的レポート等、光レベル情報の他のソースが使用されることができる。
【００５６】
斯くして、インテリジェント追跡システムが、建物内（及び／又は屋外）の人が、１日等の期間、ＥＭＬ光の最小クォータ、例えば、ＷＥＬＬ  ＢＵＩＬＤＩＮＧ  ＳＴＡＮＤＡＲＤで規定されているクォータのうちの１つを受けたかどうかを測定するために使用されることができる。アイデアは、建物又はその他の環境に照明設備を設置し、当該建物又は環境において、すべてのエリアについてＥＭＬレベル（例えば、特定の色温度と組み合わせられる１．２ｍ又は１．５ｍの高さでのＥｖ）を計算又は測定することである。これは、既存の照明設備でもなされることができる。Ｅｖｃ（垂直円筒照明レベル又は垂直平面照明レベル及び色温度（ＣＴＴ））の組み合わせは、特定のエリアについて受けるＥＭＬを示す。これらすべてのエリアについてデータベースにすべてのＥＭＬ値を設定することにより、及び人が特定のエリアにおいて費やす時間を測定することにより、人が特定の時間間隔で受けたＥＭＬ曝露の量を計算することができる。これは、ＷＥＬＬ準拠の建物の照明設備を作成できるだけでなく、人が最小のＥＬＭクォータを受けたことを証明することも可能にする。曝露が低すぎる場合は、追加の対策、例えば、その日の残りの時間ＥＭＬ曝露を増加させるために照明を適応させること、追加の光源（例えば、専用のＥＭＬ照明デバイス）をトリガすること、又は短時間、座っている占有者の前のスクリーンの明るさ及び／又は色温度を増すこと、が供されることができる。さらに、屋外の状況に関する情報を追加することもできる。例えば、人が昼食の散歩に出かける場合、システムは、該人が建物を出たことを登録してもよく、ローカルの光−気象情報が、インターネット又は光センサ（例えば、建物の屋上のセンサ等のローカルセンサ、又は建物のキャンパスの中央センサ）から追加されることができる。例えば、人がＥＭＬが１０００の太陽の下で屋外を３０分間歩いていると判断されてもよく、この値が、受けたＥＭＬの合計に追加されてもよい。
【００５７】
前述のように、オフィスのワークステーション等のワークプレイスのために、ＷＥＬＬ規格で新しい推奨事項が公開されている。ＷＥＬＬ規格によれば、すべてのワークステーションは、勤務日中の特定の時間に少なくともある値（例えば、２５０ＥＭＬ）のメラノピック昼光（Ｄ６５）等価（ＥＭＬ＝等価メラノピックルクス(equivalent melanoptic lux)）照度を有するべきである。空間内の任意の所与の位置に座っている人間の観測者の代理として、床仕上げ面から１．２ｍ上の計算グリッドが、空間内の平均円筒ＥＭＬ照度、又は空間内の平均垂直平面ＥＭＬ照度を決定するために使用されるべきである。一例によれば、最小のＥＭＬ照度は、年間を通して毎日少なくとも4時間、好ましくは午前中であって、その少なくとも２時間は午前８時から午前１１時までの間に与えられる。
【００５８】
ＥＭＬは、垂直面又は円筒の観点で測定される。ＷＥＬＬ規格では、さまざまなユースケースでどのようなＥＭＬレベルであるべきか述べられている。測定は、好ましくは、全方向性であるべきなので、光は、好ましくは、すべての周囲から到来すべきである。色温度の関数である（及び明示的なＣＣＴ値に基づいて直接的に、又はＣＣＴを示す他の強度及びスペクトル情報に基づいて間接的に計算されることができる）、必要とされるレベルに関連する比率、ＭＥＦファクタもある。同じＥＭＬレベルを得るには、光が暖かいほど照明レベルを高くする必要がある。
【００５９】
しかしながら、実際には、今日のフレキシブルなオフィスでは、人々は、日中多くのさまざまな場所で及びさまざまな設定で働く。ワークプレイスは、標準若しくはオープンオフィス、フォーカスルーム、又は小会議室若しくは大会議室があり得る。人々の活動は、勤務時間にわたり複数の空間に散らばることがよくある。
【００６０】
本明細書の実施形態は、すべてのＥＭＬレベルが、特定の建物内の異なる空間の一部又はすべてにおける１つ以上の有効(valid)平面又は表面（例えば、床から１．２ｍ及び／又は１．５ｍ上）で計算又は測定される解決策を提供する。このシステムは、さまざまな建物にも拡張されることもできる。すべての特定のエリアについてのＥＭＬ値（又は同等に、ＥＭＬが導出され得る照明情報、例えばルクス及び色温度データ）が設定され、データベースに収集される。したがって、データベースは、建物内のすべての異なるＥＭＬレベルの完全な概要(full overview)を含む。ここで、屋内測位システム又はＲＦＩＤスキャナ（好ましくはすべてのスペースに少なくとも１つ）等の追跡システムの助けを借りて、どの空間で人が自身の時間を費やしているかを追跡することが可能になる。特定の空間のＥＭＬ値にこの空間で費やされた時間を乗算することにより、人が経時的に受けているＥＭＬの量を計算することができる。このようにして、すべての個人が、自身が受けるＥＭＬ曝露を追跡することができる。これにより、最小のＥＭＬレベルに到達したか否かを計算するオプションが提供される。レベルに達していない場合、人が最小限の量のＥＭＬを確実に受けるようにするためにＥＭＬレベルを増加させるオプションがある。これは、例えば、垂直面におけるパーソナルＥＭＬライトを使用して、又は仕事をしている空間の全体（ＥＭＬ）照明レベルを増加させることによってなされることができる。パーソナルＥＭＬライトは、例えば、占有者のワークステーションに関連付けられた専用のＥＭＬ照明デバイスによって、又は座っている占有者の前の明るいスクリーンによって提供されてもよい。ここでは、望ましい時間間隔内に必要なレベルに到達するように照明レベル及び／又は色温度を増加させることができる。
【００６１】
ある実施形態では、解決策は、建物内のすべてのＥＭＬレベルのデータベースを作成することによって可能になる。これは、さまざまなエリアについて特定の高さにおける円筒又は平面照明レベルを見い出すために（ＤＩＡＬｕｘ等の）特別なソフトウェアを使用して測定又は計算することによりなされることができる。次いで、すべてのスペースについてのすべてのデータがデータベースに収集される。このデータベースは、人に関連付けられるＲＦタグ（例えば、人の会社のＩＤカード内又はＲＦＩＤタグを人に固定するその他のソリューション）及びすべてのスペースにおけるＲＦＩＤスキャナを含むＲＦＩＤシステム等の追跡システムとリンクされる。斯くして、人を追従し、どの程度の時間が特定の空間において望ましい時間間隔内に費やされるかを計算することができる。これらの空間についてのＥＭＬ値は既知であるため、経過時間中に人が受けたＥＭＬの量を計算することができる。また、屋内測位等の他の手段の助けを借りて人の存在を追跡するオプションがあってもよい。その場合、例えば、ＶＬＣ（可視光通信）対応の照明器具が、ＲＦＩＤスキャナの機能を引き継ぐ、又は補足することができる。さらに、データベースを使用する代替又は追加のアプローチは、環境にわたって配置された動的センサのネットワークを使用して、実際の現在のＥＭＬレベルを動的に感知することである。
【００６２】
図２は、本明細書に開示される実施形態による例示的な照明システムを示す。システムは、少なくとも１人の占有者８（人間）により占有される環境２に設置される。環境２は、１つ以上の屋内空間２ａ、及び任意選択的に１つ以上の屋外空間２ｂを含む。各屋内空間は、建物のそれぞれの部屋、例えば、オフィスルーム、会議室、休憩室、食堂、ロビー若しくは受付、又は廊下を含んでもよく、さまざまな部屋は、種々の斯様なタイプの部屋を含んでもよい。又は、家では、部屋は、リビングルーム、キッチン、バスルーム、１つ以上のベッドルーム等を含んでもよい。屋外空間２ｂの例には、庭、中庭、キャンパスの屋外部分、公園、又は占有者が１つ以上の屋内空間２ａを占有する前、後又は途中に移動し得る任意の屋外エリアが含まれてもよい。占有者８は、例えば自身の勤務日又は一般的な日の一部として、異なる空間２ａ、２ｂのいくつか又はすべての間を自由に動くことができる。
【００６３】
照明システムは、１つ以上の照明器具４、及び／又は１つ以上のウインドウトリートメント５（窓を介して屋内空間２ａに入る光の量を制御するためのカーテン、ブラインド又はシャッター）を含む、１つ以上の照明デバイスを含む。好ましくは、屋内空間２ａの各々に少なくとも１つの照明デバイス（例えば、照明器具又はウインドウトリートメント）４、５がある。任意選択的に、１つ以上の照明器具４が、屋外空間２ｂに、例えば、屋外の夜勤又は冬に日中の昼光がほとんど又はまったくない緯度で作業する労働者のために設けられてもよい。各照明器具は、さまざまな形態をとってもよい（及び異なる照明器具４は、異なる形態をとってもよい）。例えば、天井に取り付けられた照明器具、ウォールウォッシャ等の壁に取り付けられた照明器具、自立型照明器具（例えば、フロアランプ、テーブルランプ又はデスクランプ）、又は家具の表面若しくは家具自体に埋設されたそれほど伝統的ではない形態をとってもよい。照明器具４は、タスクライト及び／又は周囲照明(ambient lighting)を含んでもよい。ウインドウトリートメント５の場合、これらは手動であってもよく、自動化されてもよい。照明デバイス４、５は、環境２のそれぞれの空間２ａ、２ｂに照明を提供する。窓又はウインドウトリートメントは、必ずしも考慮されないことに留意されたい。ある実施形態では、システムは、昼光を考慮しなくてもよく、窓を介して入る昼光は、「ボーナス」照明として扱われてもよい。
【００６４】
それらの間の照明デバイス４、５は、各空間２ａ、２ｂにおいて、下向きの照明成分（水平面を介す光束）及び横向きの照明成分（図１ａ及び１ｂに示されるように垂直面又は表面を介す光束）の両方を提供する。これは、所与の空間２ａ、２ｂを照らす全般照明デバイス４、５又は別個の下向き及び横向きの照明器具４によって達成されてもよい。及び／又は、下向き及び横向き成分が、水平成分及び垂直成分の両方を放射するように構成された所与の照明器具４によって、例えばある角度で傾斜されることによって提供されてもよい。
【００６５】
図３を参照すると、システムはさらに、コントローラ１０及び追跡システム１６を含む。コントローラ１０は、照明器具４によって環境２のそれぞれ対応する部分２ａ、２ｂに放射される照明の強度及び／又は色温度を制御するために照明器具４に動作可能に結合される。ある実施形態では、コントローラ１０はまた、１つ以上のウインドウトリートメント５に結合され、それによって、（例えば、電気的に制御可能なブラインド、カーテン、シャッターの場合）ウインドウトリートメント５によってそれぞれの窓を通って入る光の量を制御することができてもよい。コントローラ１０とそのような照明デバイス４、５との間の結合は、任意の有線及び／又は無線手段を介して、例えば、Ｅｔｈｅｒｎｅｔ若しくはＤＡＬＩネットワーク等の有線ネットワーク、又は無線ネットワーク、例えばＷｉ−Ｆｉ若しくはＺｉｇＢｅｅネットワーク等のワイヤレスローカルエリアネットワーク（ＷＬＡＮ）、又はそれらの任意の組み合わせを介してもよい。システムのサブシステム間で通信する様々な手段は、当業者にはよく知られており、本明細書では詳細に説明しない。コントローラ１０は、１つ以上のメモリデバイス上に格納され、１つ以上の処理ユニット上で実行するように構成されたソフトウェアの形で実装されてもよい。代替的に、コントローラ１０は、ハードウェア、又はハードウェア及びソフトウェアの任意の組み合わせで実装されてもよい。コントローラ１０は、任意の適切な１つ以上の物理ユニット上に実装されてもよい。例えば、コントローラ１０は、サーバ、照明ブリッジ、又は専用の制御ユニットに実装されてもよく、又は照明器具４自体、又はサーバ及びブリッジの組み合わせ、又はサーバ及び照明器具の組み合わせ等、システムの複数のコンポーネントにわたって実装される分散機能の形態をとってもよい。
【００６６】
コントローラ１０はまた、追跡システム１６に結合される。この結合も、同じ通信手段が必ずしも使用される必要はないが、照明器具４に関して上述したもの等、任意の有線及び／又は無線手段を介してもよい。追跡システムは、環境２にわたって占有者８のロケーションを追跡し、追跡されたロケーションに関する情報をコントローラ１０に提供するように構成される。追跡システム１６は、様々な形態の任意のものをとってもよい。ある実施形態では、追跡システム１６は、人又は占有者８の身の回りに配置されるＲＦＩＤタグと、環境２にわたって配置される複数のＲＦＩＤリーダ、好ましくは、各空間２ａ、２ｂ（例えば、各部屋）に少なくとも１つのＲＦＩＤリーダとを含む、ＲＦＩＤ追跡システムを含む。例えば、環境２の種々の部分、例えば、種々の部屋２ａにおける複数のワークステーションの各々にＲＦリーダが存在してもよい。ユーザが所与の空間２ａ、２ｂに入る、又は所与のワークステーション等に座る場合、ユーザは、明示的又は暗黙的に自身のタグをリーダに対してスキャンし、当該場所での自身のロケーションをコントローラ１０に登録する。例えば、各占有者８は、ＩＤカードにＲＦタグを有し、ＲＦリーダを備えるゲートが、人々が通過する際に認識され、人がどの空間にいるのかをシステムが常に分かるようにすべての内部及び／又は外部のドアに配置される。別の例として、占有者８は、建物の入口又は出口を明示的にスキャンしてもよく、それにより、コントローラ１０は、ユーザが建物にいつ出入りするかが分かる。同等の構成において、ＲＦタグ及びリーダが逆にされてもよい（すなわち、占有者は、身の回りに配置されるＲＦリーダを有し、ＲＦタグは、環境にわたりさまざまな場所に位置付けられる）。
【００６７】
さらに、他の代替又は追加のロケーション追跡システムが当技術分野で知られており、本目的に使用されることができる。これらは、例えば、占有者が、モバイルスマートフォン、スマートウォッチ又は身の回りに配置されるウェアラブルユーザ端末等の別のタイプのデバイスを有することに基づいてもよい。例えば、追跡システム１６は、環境２にわたって位置付けられるアンカーノードのネットワークを含む屋内位置特定システムを含んでもよく、その場合、占有者８のロケーションは、三角測量、三辺測量(trilateration)、マルチラテレーショ(multilateration)又はフィンガープリント法(fingerprinting)等の計算を使用して、アンカーノードと占有者の身の回りに配置される無線デバイス（例えば、モバイルフォン）との間で一方向又は他方向に交換される無線ビーコン信号に基づいて検出される。１つの特定の例では、ビーコン信号は、照明器具４自体によって発せられる光に埋め込まれ、占有者のデバイス（例えば、スマートフォン、スマートウォッチ又はウェアラブルカメラ）のカメラ等の光センサによって検出される、コード化された光信号である。別の代替又は追加の例では、追跡システム１６は、画像認識、例えば、顔認識に基づいて占有者を検出するように構成される、環境２にわたって設置されるカメラのネットワークを含んでもよい。様々な追跡技術が当技術分野で知られており、ここでは詳細には繰り返さない。
【００６８】
さらに、ある実施形態では、システムは、コントローラ１０に動作可能に結合される、データベース１２を含む。ある実施形態では、データベースは、コントローラ１０と同じ物理ユニット、例えば、同じサーバ又は照明ブリッジに実装されてもよい。代替的に、データベースは他の場所に実装され、任意の適切な有線又は無線通信手段、例えば、有線又は無線ＬＡＮ（例えば、Ethernetト、Ｗｉ−Ｆｉ等）、ましてはインターネット等の広域ネットワークを介してコントローラ１０に結合される。
【００６９】
データベース１２は、環境にわたる及び照明器具４から生じる（すなわち、人工光に起因する）光レベル情報をマッピングし、この情報は、光の強度及び光のスペクトルの両方を反映する。データベース１２における情報は、その後の動作フェーズの前のコミッショニングフェーズで決定されてもよい。動作フェーズは、設置及びコミッショニングが完了した後の、システムが実際に通常使用されている場合であり、恐らくは占有者８が存在し、該占有者のＥＭＬ曝露がコントローラ１０によって監視される。代替的又は追加的に、データベースにおける情報は、光センサの読取り又は現在のユーザ設定等に基づいて、動作フェーズ中に動的に追加されてもよい。コミッショニングの場合、ＬＥＤ又は実際にはいかなる照明源も一般に経時的に光出力が低下するため、新規の設置を完了した直後に測定又は計算されたＥＭＬは、その後しばらくしたものよりも高いことに留意されたい。ある実施形態では、これは、しばらくした後、例えば、２年後に要件を満たすことができるように必要とされるよりもわずかに高い光レベルを有する照明器具を設置することによってコミッショニングフェーズにおいて考慮されてもよい。
【００７０】
ある実施形態では、データベース１２は、（例えば、朝の時間に追加のＥＭＬを提供するように制御された照明器具のための）異なる時刻についての情報の異なる値を格納してもよい。及び／又は、データベース１２は、ユーザによって自動又は手動で設定されてもよい、可能な調光レベル及び／又は色設定についての情報の異なる値を格納してもよい。コントローラ１０は、現在の時刻及び／又は光設定についての関連情報をルックアップしてもよい。これの変形例として、データベースは、より少ない数の光レベル設定を格納してもよく、コントローラ１０は、現在の設定に基づいてこれらの間を外挿してもよい。別の変形例として、データベースにおける情報は、現在の設定に基づいて動的に更新されてもよい。
【００７１】
データベース１２におけるこの情報は、様々な形態をとってもよい。ある実施形態では、情報は、実際のＥＭＬ値であってもよい（すなわち、ＥＭＬ値が、データベース１２に直接格納される）。ＥＭＬ値は、測定されるべきＥＭＬクォータの定義に応じて、所定の高さ、複数の高さ、又は高さの範囲(range of heights)でのＥＭＬを示す（後述を参照）。ＥＭＬレベルは、空間ごとに、例えば、部屋ごとにマッピングされてもよい。すなわち、各部屋又は空間２ａについて格納された少なくとも１つのＥＭＬ値（及びある実施形態では、例えば、異なるそれぞれの時刻及び／又は設定についての複数の値）がある。空間又は部屋２ａごとのこのＥＭＬ値は、特定の方向において又はある方向の範囲（例えば、全方向又は半円筒）にわたって平均された、当該空間２ａ（例えば、部屋）の一部又はすべてのエリアにわたり床から特定の高さで取得された平均ＥＭＬレベルであってもよい。代替的に、データベース１２は、各空間（例えば、部屋）２ａにおける１つ以上の特徴的なロケーションの各々についてのＥＭＬ値を格納してもよい。例えば、データベース１２は、各ワークステーションについてのＥＭＬ値、例えば、当該ワークステーションで占有者８が向いている典型的な方向におけるＥＭＬ、又は当該ワークステーションからある範囲の方向にわたって平均されたＥＭＬを格納してもよい。別の代替例として、情報は、照明器具の座標と共に、照明器具４ごとに格納されてもよい。所与の空間２ａ、例えば、所与の部屋において照明器具４によって放射されるＥＭＬ、並びに照明器具４及び占有者８の位置を知ることにより、コントローラ１０は、当該所定の高さでの所与の位置における占有者８のＥＭＬ曝露を計算することができる。さらに別の例として、各空間２ａ（例えば、各部屋）についてのＥＭＬ値は、各部屋についてＥＭＬの「フィンガープリント」を作成するように、比較的細かいポイントごとに（すなわち、各部屋又は空間２ａ内の個々の座標セットについて）データベース１２においてマッピングされてもよい。さらに、データベースにおけるＥＭＬ値は、方向性を有してもよく、又は有さなくてもよい。すなわち、いくつかの場合において、各空間２ａ、ステーション又はポイントについて、データベース１２は、特定の特徴的な方向におけるＥＭＬ若しくはある方向の範囲にわたって平均されたＥＭＬ、例えば、（水平面で３６０度にわたり平均された）全方向平均(omnidirectional average)であってもよい、単一のＥＭＬ値を格納してもよく、又は代替的に、各空間２ａ、ステーション又はポイントについて、データベース１２は、当該空間２ａ又は当該ポイント若しくはステーションにいる場合に占有者が向く可能性のある複数の異なる方向の各々についての複数のＥＭＬ値を格納してもよい。さらに異なるＥＭＬレベルが、異なる可能な調光レベル及び／又は色設定について格納されてもよく、これにより、コントローラ１０は、各空間２ａにおける照明器具４の現在の設定を考慮することもできる。
【００７２】
さらに別の変形例では、データベース１２における情報は、色温度又は他のスペクトル情報、ましてはフルパワースペクトル密度（ＰＳＤ）データを伴うルクスレベルＥｖ等のスペクトル光レベルの別の指標であってもよい。これから、コントローラ１０は、空間における垂直又は円筒照度の高さを計算することができ、この数値は、色温度又は特定のスペクトルについての比率（ＭＥＦ）と乗算されることができ、その結果、人工照明に基づく当該空間又は空間内の特定の位置についてのＥＭＬ値になる。ＥＭＬ値の細分性(granularity)又は方向性のさまざまなレベルについて上記で述べたすべてのことは、ルクス及び色温度（ＣＣＴ）、又はＰＳＤ測定等、ＥＭＬを間接的に示す任意の他のデータにも同様に適用することができる。
【００７３】
コントローラ１０は、追跡システム１６によって追跡される占有者８のロケーションに基づいて、及びデータベース１２における情報に基づいて、所定の１つ以上の時間ウインドウにわたって、好ましくは、１日又は１日のうちの１つ以上の特定の期間にわたって占有者８の総ＥＭＬ曝露を監視するように構成される。斯くして、コントローラ１０は、占有者８が少なくとも最小の期間少なくとも最小のＥＭＬクォータに曝されるかどうかを監視する。総ＥＭＬ曝露は、実際のＥＭＬ曝露レベルを経時的に積分する（又は離散的な時間間隔で離散的な積分を実行する）ことによって測定されてもよい。好ましくは、総測定値又は線量は、毎日（２４時間ごとに）リセットされ、例えば、毎朝、占有者のＥＭＬカウントは再びゼロから始まる。ＥＭＬは占有者のサーカディアンリズムにリンクされるため、期間は２４時間であることが好ましい。しかしながら、シフト勤務又は宇宙ステーション等のオフワールドで作業する人々にとっては、特定の期間中に人工的な生活を送り得るため、サーカディアンリズムが異なり、自然な昼／夜サイクルと同期しない場合がある。及び／又は、１週間等のより長い期間にわたって占有者のＥＭＬ曝露を測定することが望ましいことがあり得ることも除外されない。例えば、恐らくは、占有者が週あたりの１日に受けるＥＭＬ曝露が少ない場合が、該週の残りにわたって良好な曝露を受ける限りにおいて、（好ましくはないが）許容されてもよい。
【００７４】
データベース１２が部屋又は空間２ａごとにＥＭＬの単一の平均値又は代表値のみを格納する実施形態では、追跡及び監視は、占有者８が各部屋又は空間２ａで費やす時間を監視し、経時的にそれぞれのＥＭＬ値を積分することからなってもよい。他方、データベース１２におけるＥＭＬ情報がより空間的に細かい場合、追跡は、例えば屋内位置特定システムを使用して、各部屋又は空間２ａ内の占有者８のロケーションを追跡すること、及び該占有者が自身の経路を動き回るにつれてＥＭＬを積分することを含んでもよい。同様に、データベース１２におけるＥＭＬ情報が方向性を有する場合、追跡は、占有者が各部屋又は空間２ａ内で向いている方向を追跡し、該占有者が異なる方向を向くにつれＥＭＬを積分してもよい。例えば、これは、カメラ及び空間認識に基づいて、又は（通常、人々が進行方向で前を向いていることに基づいて）占有者８の進行方向を追跡することによってなされてもよい。別の例では、追跡システム１６は、関連する所定の視線方向を有する特定のステーション（例えば、机又は他の斯様なワークステーション）に占有者８が位置する（例えば、着席する）ときを検出してもよい。例えば、占有者８が自身の机に着席する場合、占有者は、机にいる間ほとんどの時間前方を向いていると仮定されてもよく、又は占有者８がスクリーンを有するワークステーションに位置する場合、ユーザは、ほとんどの当該時間、ほとんどスクリーンの方向を向いていると仮定されてもよい。
【００７５】
ある実施形態では、コントローラ１０は、さまざまな空間２ａ、２ｂにおけるＥＭＬレベル及び現在の時間が与えられて、占有者８が特定の時間、例えば、その日の特定の時間までに特定の総ＥＭＬクォータに曝されていないこと、又はそうなる可能性が低いことを決定するように構成されてもよく、この場合、コントローラ１０は、占有者のＥＭＬレベルを高めるために１つ以上の対策を自動的に行うように構成されてもよい。これは、１つ以上の照明器具４の強度を増加させること、又は色温度を（すなわち、より青色に）増加させること、又はその両方を含んでもよい。いくつかの実施形態における別の可能性は、コントローラ１０によって制御可能である場合、１つ以上のウインドウトリートメント５（すなわち、カーテン又はブラインド）をより完全に自動的に開くことである。別の代替又は追加の可能性として、コントローラ１０は、占有者の曝露を高めるために１つ以上の追加のＥＭＬソース、例えば、占有者のワークステーションにおける専用のＥＭＬデバイスをトリガしてもよい。さらに、ある実施形態では、コントローラ１０は、さまざまな空間２ａ、２ｂにおけるＥＭＬレベル及び現在の時間が与えられて、ユーザが特定の時間、例えば、その日の特定の時間までに特定の総ＥＭＬクォータに既に曝されていること、又はそうなる可能性が高いことを決定するように構成されてもよく、この場合、コントローラ１０は、１つ以上の照明器具４をオフにする若しくは強度を下げる、又は該照明器具４の色温度度を下げるアクションを自動的に行うように構成されてもよい。占有者８が曝されてもよい最大のＥＭＬがあるとは考えられていないが、省エネ、又はその日の終わりに向けてより居心地の良い「ウインドダウン(wind-down)」の雰囲気を作り出す等の他の理由で、そのような対策は有益であり得る。例えば、色温度が比較的高い光はあまり居心地が良くなく、人々は暖かい照明を好む傾向がある。さらに、「活性化(activation)」又は「刺激(stimulation)」時間外の顔の高さでの高い垂直照明の必要もない。また、将来的に、占有者８へ起こり得る悪影響、例えば、その日のうちに遅すぎて、又は他の時間間隔に過剰な青色光を受けることに起因してよく眠れないことを回避するために過剰なＥＭＬを提供することを回避することが望ましくあり得ることも除外されない。
【００７６】
一部の実施形態では、コントローラ１０は、その日の残り、又はより一般的にはＥＭＬが監視されている１つ以上の期間の残りの期間にわたる占有者の今後の動きを予測することを試みるように構成されてもよい。この場合、コントローラ１０は、占有者８が、現在観察中の日又は期間に自身のＥＭＬクォータに到達する可能性が高いかどうかの推定を支援するためにこの予測された挙動を使用することができる。この予測は、１つ以上の過去の日又は期間にわたる占有者の動きを追跡するために追跡システム１６を使用することに基づいてもよい。例えば、コントローラ１０は、過去の挙動に基づいて、占有者８は通常、昼食時に特定の食堂又は休憩室に行くこと、及び／又は該占有者は通常、その日の特定の部分（例えば、午前又は午後）に所与のワークステーション若しくは所与の部屋２ａで作業すること、又は恐らくは、該占有者は昼食時に散歩に行くことが多いことを決定してもよい。いくつかの実施形態では、コントローラ１０は、経時的に占有者の挙動を学習するように構成される機械学習アルゴリズムで構成されてもよい。例えば、数週間後、システムが人を認識し、該人がどこで時間を典型的に費やしているかを知るように、個人の挙動を予測することが可能であり、これにより、システムは、人のアジェンダを知り、予測をなすことを開始することができる。代替的又は追加的に、コントローラ１０は、占有者８の個人的なアジェンダ（例えば、電子メールクライアントに統合されたカレンダー機能）を分析することによって占有者の動きを予測するように構成されてもよい。すなわち、コントローラ１０は、アジェンダを調べて、ほとんどの時間がどこで費やされるか及び受けるＥＭＬは当該日に経時的にどのようになるかを予測することができる。
【００７７】
さらなる実施形態では、占有者に提供される光を適合させることに代えて又はそれに加えて、コントローラ１０は、適切なユーザインターフェース上で占有者８に指示されるべきメッセージを出力するように構成されてもよい。メッセージは、ＥＭＬクォータが（例えばその日に）満たされない若しくは満たされる可能性が低いと予測される場合に指示してもよく、及び／又はＥＭＬクォータが（例えばその日に）満たされる又は満たされる可能性が高い場合に指示してもよく、又は（例えばその日に）現在続いている(running)ＥＭＬクォータを示してもよい。代替的又は追加的に、メッセージは、（占有者８の同意を得て）占有者８の監督者等の別のユーザに出力されてもよい。メッセージは、昼食時の屋外散歩をするようにという有用なアドバイスを含んでもよい。別の例として、メッセージは、占有者８が時差ぼけの感覚を克服するのを助ける、又は世界の別のタイムゾーンに旅行するために占有者８を準備する、すなわち、異なるサーカディアンリズムから回復する又はそれに準備するためのアドバイスを与えてもよい。メッセージは、任意の適切なユーザインターフェースを介して出力されてもよい。例えば、コントローラ１０は、占有者のポータブルユーザデバイスにメッセージを送信し、該メッセージは、ポータブルデバイス、例えば、スマートフォン、タブレット、ラップトップ又はウェアラブルデバイスのスクリーン上に表示されてもよい。別の例として、メッセージは、占有者８、又は該占有者の監督者若しくはライフスタイルコーチのワークステーションにあるデスクトップコンピュータ等の静的端末のスクリーンに表示されるように送られてもよく、又はメッセージは、１つ以上の部屋２ａ又は監督者の部屋で再生される可聴アラームであってもよい。
【００７８】
いくつかの実施形態では、システムはさらに、各部屋又は空間２ａに設置された少なくとも１つの光センサ６を含む。センサ６は、コントローラ１０に結合され、それらのセンサ読取りをコントローラに提供するように構成される。感知されたセンサ読取りは、センサの光感知エレメントで受けた光のパワー及び光のスペクトルのインディケーションの両方の指標となる。スペクトルのインディケーションは、感知された色温度、又はフルパワースペクトル密度測定（単位周波数あたりのパワー）であってもよい。センサのセンサエレメントの面積が与えられると、単位面積あたりの光パワーを決定することもできる。斯くして、センサ６からのこのすべての情報が与えられると、コントローラ１０は、センサ６のポイントにおけるＥＭＬを自動的に決定することができる。代替的に、センサ６は、強度レベルのみを感知し、スペクトル情報は感知しなくてもよいが、コントローラ１０は、設置された照明器具４の種類及びそのスペクトルに関する所定の情報を備えるように構成される。
【００７９】
各センサ６は、ＥＭＬクォータについて指定される高さ、例えば、床上１．２ｍに配置されてもよい。各センサは、ＥＭＬクォータを評価するためにＥＭＬが測定されるべき水平位置に配置されてもよい。代替的に、センサ６は、異なる高さ及び／又は水平位置に配置されてもよく、代わりに、コントローラ１０は、センサ６及び照明デバイス４、５の位置又は特定の高さ及び所望の位置に対するそれらの相対位置に関する追加の情報に基づいて指定された高さ及び所望の位置におけるＥＭＬを計算してもよい。
【００８０】
光センサ６は、上述したようなコントローラ１０のロジックと共に、システムの動作フェーズ中に所与の高さ／位置におけるＥＭＬレベルを自動的に感知するように構成されるＥＭＬセンサを形成する。コントローラ１０は、環境２のどこで最小のＥＭＬレベルが満たされるかを決定し、それにより、占有者のＥＭＬクォータが満たされるかどうかを監視するためにセンサ読取りから導出される情報を使用することができる。センサ及びロジックは、データベース１２における情報を補足するために、又はその代替として使用されてもよい。データベース１２におけるＥＭＬ値のオプションについて上記で述べたすべてが、センサ６を代替的に又は追加的に使用するオプションに等しく適用される。例えば、各空間におけるセンサ６は、部屋又は空間２ａ、２ｂあたりの単一の代表又は平均ＥＭＬ値を決定するために使用されてもよく、又は各部屋又は空間２ａ、２ｂに２つ以上のセンサがある場合、ＥＭＬ値のより空間的に細かな及び／又は方向性マップが、コントローラ１０によって計算されてもよい。さらに、センサ６は、例えば、コントローラ１０と無線で通信してもよく、最近では、すべてのワークステーションが、好ましくはそれぞれのワークステーションにおける意図した位置に位置する（例えば、座っている）場合に占有者の顔とほぼ同じ方向に方向付けられる、少なくとも１つのセンサによって監視されることができるような安価であり得る。センサの使用はまた、例えば屋内空間２ａに窓を介して入る、昼光が考慮されることができるという利点もある。
【００８１】
屋外空間２ｂに関して、ＥＭＬは、季節、時間、気象条件によって大きく異なる。同様の考慮事項は、（ウインドウトリートメント５によっても調節される場合がある）窓からの寄与にも当てはまる。センサベースのアプローチを使用すると、センサ６を用いてリアルタイムで実際のＥＭＬを測定することが可能である。代替的又は追加的に、さらなる実施形態では、コントローラ１０は、通信ネットワーク１４、例えば、インターネット等の広域ネットワークに接続され、コントローラ１０が、外部の光レベルに関するリアルタイムの情報にアクセスすることを可能にする。例えば、コントローラ１０は、オンライン天気予報にアクセスしてもよい。天気予報は、それ自体は明示的なＥＭＬ値を与えないかもしれないが、概算のＥＭＬ値がコントローラ１０によって導出されることができる情報を提供し得る。例えば、天気予報は、光度レベル(luminous intensity level)、又は単に晴れ、曇等かどうかのインディケーションをレポートし得る。これから、自然周囲光の典型的な空間及びスペクトル分布に関する事前データと組み合わせて、コントローラ１０は、地上から所望の高さでの概算のＥＭＬレベルを推定することができる。ある実施形態では、コントローラ１０はまた、当該空間２ａ、２ｂのレイアウト及び／又は定位、例えば、屋外空間の高い壁若しくは木、並びに／又は、窓のサイズ、形状及び／若しくは位置及びそのウインドウトリートメント５の状態を考慮に入れてもよい。
【００８２】
別のオプションは、カレンダーを使用し、日／週／月／季節ごとのＥＭＬの平均値又は典型的な最小値を提供することである。したがって、屋外空間を経由してある建物から別の建物に移動する場合、日／週／月／季節のＥＭＬレベルを取得し、これに屋外にいる時間を乗算することができる。ＥＭＬは天候によって大きく異なり得るが、ＥＭＬの最小レベルは、大まかな概算としてアジェンダにリンクされることができる。これの変形例は、環境全体（例えば、キャンパス）について１つの屋外センサ６を使用することである。
【００８３】
用いられるＥＭＬを測定する手段が何であれ、コントローラ１０によって使用されるクォータは、床から特定の高さ、複数の高さ又は高さの範囲に対して定義される。屋内空間の場合、「床」は、本明細書では、ＷＥＬＬ規格で規定されている床仕上げ面(finished floor)を指してもよい。屋外空間の場合、「床」は、本明細書では、地面を指してもよい。使用される高さは、着座した占有者８の典型的な目の高さを近似するためにＷＥＬＬ規格に従って床上１．２ｍであってもよい。代替的又は追加的に、他の高さ又は高さの範囲が使用されてもよい。例えば、最近スタンディングワークステーションの傾向が高まっているため、又は実際に一部の仕事はデスクベースではないため、立っている高さを近似するために１．５ｍの高さが指定されてもよい。さらなる実施形態では、１．２ｍ〜１．５ｍ、又は１．２ｍ〜１．６ｍ、又は１．２ｍ〜１．７ｍの高さの範囲が、占有者が立っている若しくは座っている、又は座位から立位まで作業面の高さが調整可能なワークステーションを有する可能性をカバーするために使用されてもよい。例えば、使用されるＥＭＬは、高さの範囲の平均であってもよく、又はコントローラ１０は、ＥＭＬクォータが高さの範囲全体にわたって満たされるかどうかをテストしてもよい。
【００８４】
値に関して、現在のＷＥＬＬ規格は、さまざまなシナリオについてさまざまなＥＭＬ値を規定し、これらには、１２５ＥＭＬ、１５０ＥＭＬ及び２００ＥＭＬが含まれる。２５０ＥＭＬの値は、ＷＥＬＬ規格の以前のバージョンでも提案されており、ここでは除外されない。いかなるこのような値又はその他の値も、本目的のために使用されることができる。
【００８５】
時間制約に関して、これは単に、占有者８が、１日、又は１日の日中の時間、又は勤務日（例えば、午前９時から午後５時）等の所定の時間ウインドウにわたって総ＥＭＬクォータを受けることであってもよい。代替的に、基準はより複雑であってもよい。例えば、作業エリアについて、ＷＥＬＬ基準は、少なくとも午前９時から午後１時までの時間に（床仕上げ面から１．２ｍ上の前向きの垂直面で測定される）２００ＥＭＬが存在することを定義している。より複雑な条件の別の例は、最小のＥＭＬ照度が、年間を通して毎日少なくとも日中の４時間、好ましくは午前中であって、その少なくとも２時間は午前８時から午前１１時までの間に与えられるべきことである。
【００８６】
ＷＥＬＬ規格には特定の組み合わせが示されているが、本開示の範囲はそれらに限定されず、上記の基準及び／又は他の基準の他の組み合わせが適用されることができる。一般に、任意のＥＭＬレベルが、ＥＭＬクォータを定義するために任意の高さ及び任意の時間条件と組み合わされてもよい。
【００８７】
図面、本開示、及び添付の請求項の検討によって、開示される実施形態に対する他の変形形態が、当業者により理解されることができ、また、特許請求される発明を実施する際に実行されることができる。請求項では、単語「含む（comprising）」は、他の要素又はステップを排除するものではなく、不定冠詞「１つの（a）」又は「１つの（an）」は、複数を排除するものではない。単一のプロセッサ又は他のユニットが、請求項において列挙される、いくつかの項目の機能を果たしてもよい。特定の手段が、互いに異なる従属請求項内に列挙されているという単なる事実は、これらの手段の組み合わせが、有利に使用され得ないことを示すものではない。コンピュータプログラムは、他のハードウェアと共に、又は他のハードウェアの一部として供給される、光学記憶媒体又は固体媒体等の、好適な媒体において記憶／頒布されてもよいが、インターネット、又は他の有線若しくは無線の電気通信システム等を介して、他の形態で頒布されてもよい。請求項中のいかなる参照符号も、範囲を限定するものとして解釈されるべきではない。
【図１ａ】
2021504927.tif 000007
【図１ｂ】
2021504927.tif 000008
【図２】
2021504927.tif 000009
【図３】
2021504927.tif 000010
【国際調査報告】
2021504927.tif 000011
2021504927.tif 000012
2021504927.tif 000013
2021504927.tif 000014